(57)【要約】      （修正有）【課題】工事現場の足場などに設置される広告シートの着脱作業を容易に行うことができる接合バックルを提供する。【解決手段】結束バンド３０で足場のパイプ体Ｐ側に取り付けられるオス部材１０と、シート体Ｓ側に取り付けられるメス部材２０とを有し、パイプ体側に取り付けられるオス部材１０は、パイプ体の周方向に沿うように湾曲した基部１１を有すると共に、基部に結束バンド３０を通過させる通過孔を形成する。これによって、広告シートなどのシート体Ｓを工事現場の足場などに対して簡単に着脱することができる。【選択図】図４
0003204055.tif 000002
【実用新案登録請求の範囲】
【請求項１】
シート体をパイプ体に着脱するための接合バックルであって、
結束バンドで前記シート体またはパイプ体側に取り付けられるメス部材と、前記パイプ体またはシート体側に取り付けられるオス部材とを有し、
前記パイプ体側に取り付けられるメス部材またはオス部材は、前記パイプ体の周方向に沿うように湾曲した基部を有すると共に、当該基部に、前記結束バンドを通過させる通過孔を形成したことを特徴とする接合バックル。
【請求項２】
シート体をパイプ体に着脱するための接合バックルであって、
結束バンドで前記シート体またはパイプ体側に取り付けられるメス部材と、前記パイプ体またはシート体側に取り付けられるオス部材とを有し、
前記パイプ体側に取り付けられるメス部材またはオス部材は、前記パイプ体の周方向に沿うように湾曲した基部を有すると共に、当該基部に、前記結束バンドを一体化したことを特徴とする接合バックル。
【請求項３】
シート体をパイプ体に着脱するための接合バックルであって、
結束バンドで前記シート体またはパイプ体側に取り付けられるメス部材と、前記パイプ体またはシート体側に取り付けられるオス部材とを有し、
前記パイプ体側に取り付けられるメス部材またはオス部材の基部に、前記パイプ体の表面に当接する突起を有し、当該突起部に、前記結束バンドを方向を変えて通過させる複数の通過孔を形成したことを特徴とする接合バックル。
【請求項４】
請求項１乃至３のいずれかに記載の接合バックルにおいて、
前記シート体は、シート状の広告媒体であることを特徴とする接合バックル。
【考案の詳細な説明】
【技術分野】
【０００１】
本考案は、シート状の広告媒体などを建物の足場などに簡単に着脱するための接合バックルに関する。
【背景技術】
【０００２】
一般にビルやマンションなどの建物の工事現場においては、その建物の周囲に金属パイプ製の足場を組み立てると共に、その足場の外側全体を布または網あるいはメッシュ体などからなるシートで覆っている。このようなシートは、一般に足場シートや現場シート、あるいは建築シートや養生シートなどと呼ばれており、建設資材や金具の落下防止あるいは作業性や美観の向上のために必要不可欠となっている。なお、本明細書では以下これを建築シートと称する。
【０００３】
そして、この建築シートは一般に白色または薄い緑や青などに着色された無地のものが殆どであるが、この建築シートをＰＲ用の広告媒体として利用したり、さらにこの建築シート上に広告用のシートを重ねて取り付けることでその部分を有効活用する例もある。さらに例えば以下の特許文献１ではこの建築シートの一部をシート状のフレキシブルディスプレイで構成してその広告内容の変更を可能とするとともに、動画広告にも対応できるようにした広告シートも提案されている。
【先行技術文献】
【特許文献】
【０００４】
【特許文献１】特開２０１１−１３２４２号公報
【考案の概要】
【考案が解決しようとする課題】
【０００５】
ところで、前記のように建設シートの一部を広告媒体として用いたり、あるいはその建設シート上に重ねて広告シートを取り付けるためには、例えばそのシートの周囲に沿って複数のハトメを形成し、これを現場に運んでからひとつずつ紐でその足場の支柱（金属パイプ）などに縛り付けることになるため、その作業は容易でない。また、このシートを取り外したり、交換する際には縛り付けた紐を一本ずつ解いたり切断して除去していくため、その都度多くのゴミが発生する。
【０００６】
そこで、本考案の目的は、これらの課題を解決するために案出されたものであり、その目的は、工事現場の足場などに設置される広告シートの着脱作業を容易に行うことができる新規な接合バックルを提供することにある。
【課題を解決するための手段】
【０００７】
前記課題を解決するために第１の考案は、シート体を円環状のパイプ体に着脱するための接合バックルであって、結束バンドで前記パイプ体側に取り付けられるメス部材またはオスと、前記シート体側に取り付けられるオス部材またはメス部材とを有し、前記パイプ体側に取り付けられるメス部材またはオス部材は、前記パイプ体の周方向に沿うように湾曲した基部を有すると共に、当該基部に、前記結束バンドを通過させる通過孔を形成したことを特徴とする接合バックルである。
【０００８】
このような構成によれば、例えば予め現場のパイプ体にオス部材を取り付けると共に、シート体側にメス部材を取り付けておき、現場においてそのシート体のメス部材をオス部材に着脱させるだけでその広告シートなどのシート体を建築現場の足場に対して簡単に着脱することができる。また、このオス部材は、その基部に結束バンドを通過させる通過孔を有していることから、この通過孔に結束バンドを通過させることで簡単にパイプ体に取り付けることができる。さらに、その基部がパイプ体の周方向に沿うように湾曲しているため、結束バンドで縛った後はこの基部がパイプ体にしっかりと固定されるため、シート体が風に煽られても簡単にずれたり捩れたりしなくなり、しっかりと広告シートを保持することができる。
【０００９】
第２の考案は、シート体をパイプ体に着脱するための接合バックルであって、結束バンドで前記パイプ体側に取り付けられるメス部材またはオス部材と、前記シート体側に取り付けられるオス部材またはメス部材とを有し、前記パイプ体側に取り付けられるメス部材またはオス部材は、前記パイプ体の周方向に沿うように湾曲した基部を有すると共に、当該基部に、前記結束バンドを一体化したことを特徴とする接合バックルである。
【００１０】
このような構成によれば、第１の考案と同様に現場においてそのシート体のメス部材をオス部材に着脱させるだけでその広告シートなどのシート体を建築現場の足場に対して簡単に着脱することができる。また、その基部がパイプ体の周方向に沿うように湾曲しているため、結束バンドで縛った後はこの基部がパイプ体にしっかりと固定されるため、シート体が風に煽られても簡単にずれたり捩れたりしなくなり、しっかりと広告シートを保持することができる。さらに、その基部と結束バンドとが一体となっているため、簡単に結束バンドをパイプ体に取り付けることができる。
【００１１】
第３の考案は、シート体をパイプ体に着脱するための接合バックルであって、結束バンドで前記パイプ体側に取り付けられるメス部材またはオス部材と、前記シート体側に取り付けられるオス部材またはメス部材とを有し、前記パイプ体側に取り付けられるメス部材またはオス部材の基部に、前記パイプ体の表面に当接する突起を有し、当該突起部に、前記結束バンドを方向を変えて通過させる複数の通過孔を形成したことを特徴とする接合バックルである。
【００１２】
このような構成によれば、第１の考案と同様に現場においてそのシート体のメス部材をオス部材に着脱させるだけでその広告シートなどのシート体を建築現場の足場に対して簡単に着脱することができる。また、このオス部材は、その基部に突起部を有し、その突起部に結束バンドを通過させる通過孔を有していることから、この通過孔に結束バンドを通過させることで簡単にパイプ体に取り付けることができる。さらに、この突起部には方向が異なる２つの通過穴が形成されているため、パイプ体に対してオス部材の向きを自由に変えて取り付けることができる。
【００１３】
第４の考案は、第１乃至３の考案において、前記シート体は、シート状の広告媒体であることを特徴とする接合バックルである。このような構成によれば、そのシート体のメス部材をオス部材に着脱させるだけでそのシート状の広告媒体（広告シート）を建築現場の足場に対して簡単に着脱することができる。
【考案の効果】
【００１４】
本考案によれば、以下のような効果を発揮する。
１．現場のパイプ体にオス部材を取り付けると共に、シート体側にメス部材を取り付けておき、現場においてそのシート体のメス部材をオス部材に着脱させるだけでその広告シートなどのシート体を建築現場の足場に対して簡単に着脱することができる。
２．オス部材は、その基部に結束バンドを通過させる通過孔を有していることから、この通過孔に結束バンドを通過させることで簡単にパイプ体に取り付けることができる。
３．基部がパイプ体の周方向に沿うように湾曲しているため、結束バンドで縛った後はこの基部がパイプ体にしっかりと固定されるため、シート体が風に煽られても簡単にずれたり捩れたりしなくなり、しっかりと広告シートを保持することができる。
４．基部と結束バンドとが一体となっているため、簡単に結束バンドをパイプ体に取り付けることができる。
５．突起部に方向が異なる２つの通過穴が形成されているため、パイプ体に対してオス部材の向きを自由に変えて取り付けることができる。
【図面の簡単な説明】
【００１５】
【図１】本考案に係る接合バックル１００の実施の一形態を示す斜視図である。
【図２】（Ａ）はオス部材１０を示す正面図、（Ｂ）はその側面図である。
【図３】（Ａ）はメス部材２０を示す正面図、（Ｂ）はその側面図、（Ｃ）その平面図である。
【図４】オス部材１０およびメス部材２０をそれぞれパイプ体Ｐおよびシート体Ｓに取り付けた状態を示す斜視図である。
【図５】図４の状態からオス部材１０とメス部材２０を結合した状態を示す斜視図である。
【図６】本考案に係る接合バックル１００を用いて広告シート（シート体Ｓ）を足場を構成するパイプ体Ｐに取り付けた例を示す概念図である。
【図７】（Ａ）は本考案に係る接合バックル１００の第２の実施形態を示す正面図、（Ｂ）はその平面図である。
【図８】第２の実施形態に係る接合バックル１００の取り付け例を示す説明図である。
【図９】（Ａ）は本考案に係る接合バックル１００を構成するオス部材１０の他の実施形態を示す正面図、（Ｂ）はその側面図、（Ｃ）はその平面図である。
【図１０】（Ａ）は本考案に係る接合バックル１００を構成するメス部材２０の他の実施形態を示す正面図、（Ｂ）はその側面図、（Ｃ）はその平面図である。
【図１１】本考案に係る接合バックル１００の第３の実施形態を示す斜視図である。
【考案を実施するための形態】
【００１６】
以下、本考案の実施の形態を添付図面を参照しながら説明する。図１乃至図５は本考案に係る接合バックル１００の実施の一形態を示したものである。図示するようにこの接合バックル１００は、オス部材１０と、このオス部材１０に脱着されるメス部材２０とからなっている。
【００１７】
メス部材１０は、基部１１と、この基部１１から延びる撓み変形可能な一対のツメ部１２，１２と、このツメ部１２，１２の中央に位置するガイドロッド１３とから構成されている。このオス部材１０の基部１１は、短冊状でかつ上方に湾曲しており、図２に示すようにその上面が、足場などを構成する金属パイプからなるパイプ体Ｐの表面にその周方向に沿って密着するようになっている。さらに、図１に示すようにこの基部１１内にはその長手方向に沿って通過穴１４が貫通するように形成されており、図２に示すような結束バンド３０を通過させるようになっている。なお、符号１５は通過穴１４の状態を確認するための覗き穴である。
【００１８】
この結束バンド３０は一般に市販されていてどこでも入手可能なものであり、図示するように樹脂製の紐または帯状の本体３１の端部に止め部３２を有し、その本体３１を金属パイプ体Ｐに巻き付けてから窄まった側の差込端部３３をこの止め部３２に差し込むだけでパイプ体Ｐの表面に簡単かつしっかりと取り付けることができるようになっている。
【００１９】
一方、メス部材２０は、図１および図３に示すように両端が開口した平板筒状のケース部２１と、このケース部２１の両側面に形成された切欠部２４，２４と、このケース部２１内に設けられたガイド溝２５と、このケース部２１の下端開口部２６ｂ側から延びるシート取付片２３とから構成されている。このシート取付片２３には図４および図５に示すように広告シートや建築シートなどのシート体Ｓの縁部が接着または縫い付けなどによってしっかりと取り付けられるようになっている。
【００２０】
そして、図４および図５に示すようにこのケース部２１の上部開口部２６ａ側からオス部材１０のツメ部１２，１２を差し込み、その根元側まで押し込むと、そのツメ部１２，１２が切欠部２４，２４の位置に達したところで外側に広がり、それぞれの角部１２ａが切欠部２４，２４に引っかかることで簡単に両者が結合できるようになっている。この状態ではいずれか一方を強く引っ張ても両者が外れることはないが、この状態から指でオス部材１０のツメ部１２，１２を内側に押し込みながら引き抜くとそのツメ部１２，１２の引っかかりが外れ、簡単に分離できるようになっている。
【００２１】
図６は、このような構成をした本考案に係る接合バックル１００の使用例を示したものである。図は、例えば横３ｍ、縦２ｍのメッシュ状広告シートからなるシート体Ｓの上辺および下辺をそれぞれ３つずつ合計６つの接合バックル１００を用いて、足場を構成する金属製パイプからなる複数のパイプ体Ｐに取り付けた例を示したものである。すなわち、予めシート体Ｓの縁部に所定間隔でメス部材２０を複数取り付けておき、これを現場に搬送してから現場のパイプ体Ｓにオス部材１０を取り付けた後、そのシート体Ｓ側のメス部材２０をそれぞれパイプ体Ｓ側のオス部材１０に差し込むようにして取り付ける。これによって、そのシート体Ｓを建築現場の足場などに対して簡単かつしっかりと取り付けることができる。
【００２２】
一方、このシート体Ｓを取り外すときには、シート体Ｓを引っ張りつつ、オス部材１０側のツメ部１２，１２を指で内側に押し込むだけで簡単に取り外すことができる。そして、新たな広告シートに変えるときには、既に取り付けてあるオス部材１０をそのまま再利用できるため、交換作業もより簡単となり、作業時間の短縮と作業コストを低く抑えることができる。
【００２３】
また、このオス部材１０は、市販の結束バンド３０を用いて取り付けるようになっているため、その通過孔１４に結束バンド３０を通過させるだけで簡単にパイプ体Ｐに取り付けることができる。さらに、このオス部材１０の基部１１がパイプ体Ｐの周方向に沿うように湾曲しているため、結束バンド３０で縛った後はこの基部１１がパイプ体Ｐにしっかりと固定されるため、シート体Ｓが風に煽られても簡単にずれたり捩れたりしなくなり、しっかりとシート体Ｓを保持することができる。
【００２４】
次に、図７乃至図１１は本考案に係る結束バンド１００の他の実施形態を示したものである。先ず、図７および図８は、前述したオス部材１０と結束バンド３０を一体化したものである。より具体的には、オス部材１０のツメ部１２、１２が形成される基部１１の一端部に結束バンド３０の止め部３２側を接続すると共に、他端部にその差込端部３３側を連続して形成した構成となっている。このように構成すれば、前記実施の形態のようにオス部材１０の基部１１の通過穴１４に結束バンド３０を通過させる作業自体が不要となり、図８に示すようにその結束バンド３０の部分をパイプ体Ｐに巻き付けてその両端部を係合するだけで簡単且つしっかりとオス部材１０をパイプ体Ｐに取り付けることが可能となる。
【００２５】
次に、図９乃至図１１は前述したオス部材１０の基部１１に、パイプ体Ｐの表面に当接する突起部１６を形成し、その突起部１６に、結束バンド３０をその方向を変えて通過させる通過孔１７を複数形成したものである。すなわち、図９に示すように短冊状をした基部１１の上面中央に、さいころ状の突起部１６をその四方を揃えて一体的に形成し、そのさいころ状突起部１６に、基部１１の長手方向に貫通する第１の通過穴１７ａと、基部１１の幅方向に貫通する第２の通過穴１７ａと交差するように形成したものである。
【００２６】
このようにパイプ体Ｐの表面に当接する突起部１６に、方向が異なる２つの通過穴１７ａ、１７ｂを形成することにより、図１１に示すようにパイプ体Ｐに対してオス部材１０の向きを自由に変えて取り付けることができるため、シート体Ｓの各辺と平行に延びるパイプ体Ｐにもシート体Ｓを取り付けることができる。すなわち、基部１１の長手方向に貫通する第１の通過穴１７ａ側に結束バンド３０を通過させた状態でそのオス部材１０をパイプ体Ｐに取り付けると、図１１の上側に示すようにこれに結合するメス部材２０のシート取付片２３がパイプ体Ｐの軸方向に対して直交するように面することになる。
【００２７】
一方、基部１１の幅方向に貫通する第２の通過穴１７ｂ側に結束バンド３０を通過させた状態でそのオス部材１０をパイプ体Ｐに取り付けると、図１１の下側に示すようにこれに結合するメス部材２０のシート取付片２３がパイプ体Ｐの軸方向に対して平行に面することになる。従って、足場に取り付けるシート体Ｓを、そのシート面に対して直交するように位置するパイプ体Ｐに取り付ける場合には、図１１の上側に示すように基部１１の長手方向に貫通する第１の通過穴１７ａ側に結束バンド３０を通過させた状態でそのオス部材１０をパイプ体Ｐに取り付ける。
【００２８】
これとは反対に、シート体Ｓをそのシート面に対して平行に位置するパイプ体Ｐに取り付ける場合には、図１１の下側に示すように基部１１の幅方向に貫通する第１の通過穴１７ｂ側に結束バンド３０を通過させた状態でそのオス部材１０をパイプ体Ｐに取り付けることになる。このように構成することにより、足場を構成する様々な方向のパイプ体Ｓに対して広告シートを簡単に着脱することができる。
【００２９】
なお、上記各実施の形態では、オス部材１０をパイプ体Ｐ側に取り付け、メス部材２０をシート体Ｓ側に取り付ける例で説明したが、その反対であっても良い。この場合には、メス部材２０側に前述したような湾曲した基部１１を形成すると共に、オス部材１０側にシート体Ｓを取り付けるためのシート取付片２３を設ける構成となる。また、本考案の接合バックル１００によって取り付け可能なシート体Ｓは、広告用のシートだけでなく、建築シートや養生シートなどのような建設・工事現場などの足場に取り付けられるあらゆるものが対象となる。
【符号の説明】
【００３０】
１００…接合バックル
１０…オス部材
１１…基部
１２…ツメ
１４…通過穴
１７ａ…第１の通過穴
１７ｂ…第２の通過穴
２０…メス部材
２１…ケース部
２３…シート取付片
３０…結束バンド
Ｐ…パイプ体
Ｓ…シート体
【図１】
0003204055.tif 000003
【図２】
0003204055.tif 000004
【図３】
0003204055.tif 000005
【図４】
0003204055.tif 000006
【図５】
0003204055.tif 000007
【図６】
0003204055.tif 000008
【図７】
0003204055.tif 000009
【図８】
0003204055.tif 000010
【図９】
0003204055.tif 000011
【図１０】
0003204055.tif 000012
【図１１】
0003204055.tif 000013